(57)【要約】【課題】機器から情報を取得する情報取得装置が携帯端末へ情報を伝達し、その携帯端末から収集装置が情報を取得する情報収集システムにおいて、情報取得装置がデータ通信を行う必要がない技術を提供する。【解決手段】収集情報取得部２０２０は収集情報を取得する。出力部２０６０は、収集情報の内容を視認可能に表示する表示部２０６２と、収集情報を音声で出力する音声出力部２０６４との内いずれか１つ以上を有する。情報取得部３０２０は、表示部２０６２による表示を撮像する撮像部３０２２、音声出力部２０６４が出力した音声を録音する音声出力部２０６４、及び表示部２０６２若しくは音声出力部２０６４が出力した情報に対応する入力データを受け付ける入力受付部３０２６の内いずれか１つ以上を有する。情報送信部３０４０は、情報取得部３０２０が生成したデータに基づく情報を収集装置４０００へ送信する。【選択図】図１
2015103985.tif 000002
【特許請求の範囲】
【請求項１】
情報取得装置及び携帯端末を有する情報収集システムであって、
前記情報取得装置は、
収集情報を取得する収集情報取得手段と、
前記収集情報の内容を視認可能に表示する表示手段、及び前記収集情報の内容を音声で出力する音声出力手段のうち、いずれか１つ以上を有する出力手段と、を有し、
前記携帯端末は、
前記表示手段による表示を撮像して画像データを生成する撮像手段と、前記音声出力手段によって出力された音声を録音して録音データを生成する録音手段と、前記表示手段による表示若しくは前記音声出力手段によって出力された音声に対応する情報の入力を受け付けて入力データを生成する入力受付手段と、の内のいずれか１つ以上を有する情報取得手段と、
前記情報取得手段によって生成されたデータに基づく送信情報を収集装置へ送信する情報送信手段と、を有し、
前記情報取得手段は、
前記出力手段が前記表示手段を有する場合、少なくとも、前記撮像手段及び前記入力受付手段の内のいずれか１つ以上を有し、
前記出力手段が前記音声出力手段を有する場合、少なくとも、前記録音手段及び前記入力受付手段の内のいずれか１つ以上を有する情報収集システム。
【請求項２】
前記情報取得手段によって生成されたデータから前記収集情報を復元する復元手段を有する請求項１に記載の情報収集システム。
【請求項３】
前記情報取得装置は、
前記収集情報の暗号化又は圧縮を行う変換手段を有し、
前記出力手段は、前記変換手段によって暗号化又は圧縮された前記収集情報を出力し、
前記復元手段は、前記収集情報取得手段によって取得された情報から、暗号化又は圧縮された前記収集情報を復元し、さらに、暗号化又は圧縮された前記収集情報から前記収集情報を復元する、
請求項２に記載の情報収集システム。
【請求項４】
前記情報取得装置は、その情報取得装置の外部から指示を受け付ける指示受付手段を有し、
前記出力手段は、前記指示受付手段が前記指示を受け付けた場合のみ動作する、
請求項１乃至３いずれか一項に記載の情報収集システム。
【請求項５】
前記指示は、前記収集情報の種類を示し、
前記収集情報取得手段は、前記指示に示される種類の前記収集情報を取得する、
請求項４に記載の情報収集システム。
【請求項６】
前記携帯端末に対して、前記指示の内容を示す指示情報を送信する指示情報送信手段を有し、
前記携帯端末は、前記指示情報を受信する指示情報受信手段を有する、
請求項４又は５に記載の情報収集システム。
【請求項７】
前記収集装置へ前記送信情報を送信した前記携帯端末に特典を付与する特典付与手段を有し、
前記指示情報は、前記携帯端末に与える特典の内容を示す、
請求項６に記載の情報収集システム。
【請求項８】
前記出力手段は前記表示手段を有し、
前記表示手段は、前記収集情報を画像に変換して表示する、
請求項１乃至７いずれか一項に記載の情報収集システム。
【請求項９】
前記出力手段は前記表示手段を有し、
前記表示手段は、７セグメントディスプレイを用いて前記収集情報の内容を表示する請求項１乃至７いずれか一項に記載の情報収集システム。
【請求項１０】
前記情報取得装置は自動販売機又はガスボンベに備えられている、請求項１乃至９いずれか一項に記載の情報収集システム。
【請求項１１】
情報取得装置及び携帯端末を有する情報収集システムによって実行される情報収集方法であって、
前記情報取得装置が収集情報を取得する収集情報取得ステップと、
前記情報取得装置が前記収集情報の内容を視認可能に表示する表示ステップ、及び前記情報取得装置が前記収集情報の内容を音声で出力する音声出力ステップのうち、いずれか１つ以上を有する出力ステップと、
前記携帯端末が前記表示ステップによる表示を撮像して画像データを生成する撮像ステップと、前記携帯端末が前記音声出力ステップによって出力された音声を録音して録音データを生成する録音ステップと、前記携帯端末が前記表示ステップによる表示若しくは前記音声出力ステップによって出力された音声に対応する入力データの入力を受け付ける入力受付ステップと、の内のいずれか１つ以上を有する情報取得ステップと、
前記携帯端末が、前記情報取得ステップによって生成されたデータに基づく送信情報を収集装置へ送信する情報送信ステップと、を有し、
前記情報取得ステップは、
前記出力ステップが前記表示ステップを有する場合、少なくとも、前記撮像ステップ及び前記入力受付ステップの内のいずれか１つ以上を有し、
前記出力ステップが前記音声出力ステップを有する場合、少なくとも、前記録音ステップ及び前記入力受付ステップの内のいずれか１つ以上を有する情報収集方法。
【請求項１２】
情報取得装置及び携帯端末を有する情報収集システムを制御する情報収集プログラムであって、
前記情報取得装置に、
収集情報を取得する収集情報取得機能と、
前記収集情報の内容を視認可能に表示する表示機能、及び前記情報取得装置が前記収集情報の内容を音声で出力する音声出力機能のうち、いずれか１つ以上を有する出力機能を持たせ、
前記携帯端末に、
前記表示機能による表示を撮像して画像データを生成する撮像機能と、前記音声出力機能によって出力された音声を録音して録音データを生成する録音機能と、前記表示機能による表示若しくは前記音声出力機能によって出力された音声に対応する入力データの入力を受け付ける入力受付機能と、の内のいずれか１つ以上を有する情報取得機能と、
前記情報取得機能によって生成されたデータに基づく送信情報を収集装置へ送信する情報送信機能と、を持たせ、
前記情報取得機能は、
前記出力機能が前記表示機能を有する場合、少なくとも、前記撮像機能及び前記入力受付機能の内のいずれか１つ以上を有し、
前記出力機能が前記音声出力機能を有する場合、少なくとも、前記録音機能及び前記入力受付機能の内のいずれか１つ以上を有する情報収集プログラム。
【請求項１３】
請求項１乃至１０いずれか一項に記載の情報収集システムが有する情報取得装置。
【請求項１４】
請求項１乃至１０いずれか一項に記載の情報収集システムが有する携帯端末。
【請求項１５】
情報取得装置によって実行される情報取得方法であって、
収集情報を取得する収集情報取得ステップと、
前記収集情報の内容を視認可能に表示する表示ステップ、及び前記収集情報の内容を音声で出力する音声出力ステップのうち、いずれか１つ以上を有する出力ステップと、を有する情報取得方法。
【請求項１６】
情報取得装置として動作するコンピュータを制御する情報取得プログラムであって、前記コンピュータに、
収集情報を取得する収集情報取得機能と、
前記収集情報の内容を視認可能に表示する表示機能、及び前記収集情報の内容を音声で出力する音声出力機能のうち、いずれか１つ以上を有する出力機能と、を持たせる情報取得プログラム。
【発明の詳細な説明】
【技術分野】
【０００１】
本発明は、情報収集システム、情報収集方法、情報収集プログラム、情報取得装置、情報取得方法、及び情報取得プログラムに関する。
【背景技術】
【０００２】
サーバが、情報収集の対象である機器から情報を収集し、収集した情報を用いてそれらの機器を管理するシステムがある。例えば、自動販売機の管理システムは、販売機会の損失を減らすために、自動販売機から在庫情報を収集して、自動販売機における品切れの検出や、品切れとなる時期の予測などを行う。また例えばプロパンガスの管理システムは、プロパンガスの配送業務を効率化するために、プロパンガスのガスボンベからガス残量に関する情報を収集する。
【０００３】
情報の収集を行う技術に関連する技術を開示している文献として、特許文献１〜４が挙げられる。特許文献１は、PHS (Personal Handy-Phone System）回線を介して、自動販売機の販売情報を収集する技術を開示している。各自動販売機にPHS通信を行う装置を設ける。そして、各自動販売機は、PHS 通信を行って、センタへ情報を送信する。
【０００４】
特許文献２は、無線 IC タグを用いてエレベータの保守情報を収集する技術を開示している。具体的には、エレベータに、無線 IC タグから保守情報を送信する機能を持たせ、無線 IC タグのリーダを備えた専用の携帯端末を用いてその無線 IC タグを読み取ることで、エレベータから保守情報を収集する。そして、携帯端末によって収集された情報は、作業員の事務所にある端末装置へ転送される。
【０００５】
特許文献３は、低機能端末装置が送信する情報を、高機能端末装置を介して、基地局へ送信する通信システムを開示している。高機能端末装置は、所定の電話番号を持つ低機能端末装置から送信された情報のみを中継するように制御する認証機能を有する。
【０００６】
特許文献４は、エネルギー監視装置を用いて、電子機器ネットワーク内の電子機器及びその状態を識別する技術を開示している。特許文献４は、エネルギー監視装置と遠隔機器との間の通信として、様々な有線通信プロトコルや無線通信プロトコルを開示している。
【先行技術文献】
【特許文献】
【０００７】
【特許文献１】特開２００３−０２３５０３号広報
【特許文献２】特開２００７−０８４１９１号公報
【特許文献３】特開２００７−１５１００６号広報
【特許文献４】特表２０１２−５１６１３３号広報
【発明の概要】
【発明が解決しようとする課題】
【０００８】
本発明者は、機器から情報を取得する情報取得装置が携帯端末へ情報を伝達し、さらにその携帯端末から収集装置が情報を取得することで、収集装置が機器の情報を収集する情報収集システムの構築を検討した。さらに本発明者は、このシステムにおいて、情報取得装置と携帯端末との間でデータ通信を行わせることなく、情報取得装置から携帯端末へ情報を伝達させることを検討した。特許文献１から４はいずれも、データ通信を行わずに携帯端末へ情報を伝達するシステムは開示しておりません。
【０００９】
本発明は、以上の課題に鑑みてなされたものである。本発明の目的は、機器から情報を取得する情報取得装置が携帯端末へ情報を伝達し、その携帯端末から収集装置が情報を取得する情報収集システムにおいて、データ通信を行うことなく情報取得装置から携帯端末へ情報を伝達する技術を提供することである。
【課題を解決するための手段】
【００１０】
本発明が提供する情報収集システムは、情報取得装置及び携帯端末を有する情報収集システムである。前情報取得装置は、収集情報を取得する収集情報取得手段と、前記収集情報の内容を視認可能に表示する表示手段、及び前記収集情報の内容を音声で出力する音声出力手段のうち、いずれか１つ以上を有する出力手段と、を有する。前記携帯端末は、前記表示手段による表示を撮像して画像データを生成する撮像手段と、前記音声出力手段によって出力された音声を録音して録音データを生成する録音手段と、前記表示手段による表示若しくは前記音声出力手段によって出力された音声に対応する情報の入力を受け付けて入力データを生成する入力受付手段と、の内のいずれか１つ以上を有する情報取得手段と、前記情報取得手段によって生成されたデータに基づく送信情報を収集装置へ送信する情報送信手段と、を有する。前記情報取得手段は、前記出力手段が前記表示手段を有する場合、少なくとも、前記撮像手段及び前記入力受付手段の内のいずれか１つ以上を有し、前記出力手段が前記音声出力手段を有する場合、少なくとも、前記録音手段及び前記入力受付手段の内のいずれか１つ以上を有する。
【００１１】
本発明が提供する端末制御方法は、情報取得装置及び携帯端末を有する情報収集システムによって実行される情報収集方法である。当該情報収集法は、前記情報取得装置が収集情報を取得する収集情報取得ステップと、前記情報取得装置が前記収集情報の内容を視認可能に表示する表示ステップ、及び前記情報取得装置が前記収集情報の内容を音声で出力する音声出力ステップのうち、いずれか１つ以上を有する出力ステップと、前記携帯端末が前記表示ステップによる表示を撮像して画像データを生成する撮像ステップと、前記携帯端末が前記音声出力ステップによって出力された音声を録音して録音データを生成する録音ステップと、前記携帯端末が前記表示ステップによる表示若しくは前記音声出力ステップによって出力された音声に対応する入力データの入力を受け付ける入力受付ステップと、の内のいずれか１つ以上を有する情報取得ステップと、前記携帯端末が、前記情報取得ステップによって生成されたデータに基づく送信情報を収集装置へ送信する情報送信ステップと、を有する。前記情報取得ステップは、前記出力ステップが前記表示ステップを有する場合、少なくとも、前記撮像ステップ及び前記入力受付ステップの内のいずれか１つ以上を有し、前記出力ステップが前記音声出力ステップを有する場合、少なくとも、前記録音ステップ及び前記入力受付ステップの内のいずれか１つ以上を有する。
【００１２】
本発明が提供する情報収集プログラムは、情報取得装置及び携帯端末を有する情報収集システムを制御するためのプログラムである。当該プログラムは、情報取得装置に、本発明が提供する情報収集システムが有する情報取得装置として動作する機能を持たせる。また、当該プログラムは、携帯端末に、本発明が提供する情報収集システムが有する携帯端末として動作する機能を持たせる。
【００１３】
本発明が提供する情報取得装置は、本発明が提供する情報収集システムが有する情報取得装置である。
【００１４】
本発明が提供する携帯端末は、本発明が提供する情報収集システムが有する携帯端末である。
【００１５】
本発明が提供する情報取得方法は、情報取得装置によって実行される。当該情報取得方法は、収集情報を取得する収集情報取得ステップと、前記収集情報の内容を視認可能に表示する表示ステップ、及び前記収集情報の内容を音声で出力する音声出力ステップのうち、いずれか１つ以上を有する出力ステップと、を有する。
【００１６】
本発明が提供する情報取得プログラムは、情報取得装置に、本発明が提供する情報収集システムが有する情報取得装置として動作する機能を持たせる。
【発明の効果】
【００１７】
本発明によれば機器から情報を取得する情報取得装置が携帯端末へ情報を伝達し、その携帯端末から収集装置が情報を取得する情報収集システムにおいて、データ通信を行うことなく情報取得装置から携帯端末へ情報を伝達する技術が提供される。
【図面の簡単な説明】
【００１８】
【図１】実施形態１に係る情報収集システムを、その使用環境と共に例示するブロック図である。
【図２】情報取得装置のハードウエア構成を例示するブロック図である。
【図３】携帯端末のハードウエア構成を例示するブロック図である。
【図４】実施形態１の情報収集システムによって実行される処理の流れを例示するフローチャートである。
【図５】実施形態２に係る情報収集システムを、その使用環境と共に例示するブロック図である。
【図６】実施形態３に係る情報収集システムを、その使用環境と共に例示するブロック図である。
【図７】実施形態４に係る情報取得装置を例示するブロック図である。
【図８】実施形態５に係る情報収集システムを、その使用環境と共に例示するブロック図である。
【図９】実施形態６に係る情報収集システムを、その使用環境と共に例示するブロック図である。
【図１０】指示情報が示す特典の内容に関する情報をテーブル形式で例示する図である。
【発明を実施するための形態】
【００１９】
以下、本発明の実施の形態について、図面を用いて説明する。尚、すべての図面において、同様な構成要素には同様の符号を付し、適宜説明を省略する。
【００２０】
[実施形態１]
図１は、実施形態１に係る情報収集システム５０００を、その使用環境と共に例示するブロック図である。図１において、矢印の流れは情報の流れを示している。また、図１において、各ブロックは、ハードウエア単位の構成ではなく、機能単位の構成を示している。
【００２１】
＜情報収集システム５０００＞
情報収集システム５０００は、情報取得装置２０００及び携帯端末３０００を有する。情報収集システム５０００は、情報収集の対象である機器から、その機器に関する情報を収集するシステムである。以下、情報収集の対象である機器に関する情報を、収集情報と表記する。収集対象の機器は、例えば自動販売機やプロパンガスのガスボンベなどである。収集情報は例えば、収集対象の機器のメンテナンスのために必要な情報である。収集対象の機器が例えば自動販売機である場合、収集情報は例えば、自動販売機の在庫情報である。収集対象の機器が例えばガスボンベである場合、収集情報は例えば、ガスボンベのガス残量である。
【００２２】
携帯端末３０００は、情報取得装置２０００にとって不特定の携帯端末であってもよいし、特定の携帯端末であってもよい。不特定の携帯端末とは例えば、情報取得装置２０００の運用・管理を行っている企業等と直接関連のない、一般人が用いる携帯端末である。収集対象の機器が例えば自動販売機である場合、不特定の携帯端末は例えば、自動販売機から商品を購入する一般人が持つ携帯電話である。一方、特定の携帯端末とは、例えば、情報取得装置２０００の運用・管理を行っている企業等に雇用された情報収集の担当者が持つ携帯端末である。
【００２３】
情報取得装置２０００は、情報収集の対象である機器から収集情報を取得する。情報収集の対象である機器は、例えば情報取得装置２０００自身である。また、情報収集の対象である機器は、情報取得装置２０００以外であってもよい。この場合、例えば情報取得装置２０００は、情報収集の対象である機器の筐体の内部または外部に備え付けられる。また例えば、情報取得装置２０００は、情報収集の対象である機器の筐体の近傍に、情報取得装置２０００が設置されているとしても良い。
【００２４】
以下、情報取得装置２０００及び携帯端末３０００についてそれぞれ説明する。
【００２５】
＜情報取得装置２０００＞
情報取得装置２０００は、収集情報取得部２０２０及び出力部２０６０を有する。収集情報取得部２０２０は、前述した収集情報を取得する。出力部２０６０は、表示部２０６２及び音声出力部２０６４のうち、いずれか１つ以上を有する。表示部２０６２は、収集情報の内容を視認可能に表示する。音声出力部２０６４は、収集情報の内容を音声で出力する。
【００２６】
＜携帯端末３０００＞
携帯端末３０００は、情報取得部３０２０及び情報送信部３０４０を有する。情報取得部３０２０は、撮像部３０２２、録音部３０２４、及び入力受付部３０２６のうち、いずれか１つ以上を有する。撮像部３０２２は、表示部２０６２による表示を撮像し、画像データを生成する。録音部３０２４は、音声出力部２０６４によって出力された音声を録音し、録音データを生成する。入力受付部３０２６は、表示部２０６２又は音声出力部２０６４による出力に対応する情報の入力を受け付けて入力データを生成する。情報送信部３０４０は、撮像部３０２２によって生成された画像データ、音声出力部２０６４によって生成された録音データ、及び入力受付部３０２６によって生成された入力データのいずれか１つに基づく送信情報を、収集装置４０００へ送信する。以下、撮像部３０２２によって生成された画像データ、音声出力部２０６４によって生成された録音データ、及び入力受付部３０２６によって生成された入力データを、「情報取得部３０２０によって生成されたデータ」とも表記する。
【００２７】
入力データは、例えば次の様な情報である。表示部２０６２が「ＡＢＣ」という文字列を表示した場合、入力データは「ＡＢＣ」という文字列である。同様に、音声出力部２０６４が「ＸＹＺ」という音声を出力した場合、入力データは「ＸＹＺ」という文字列である。ただし、入力データは、文字列に限定されない。例えば出力部２０６０によって図形などが表示された場合、入力データはこの図形を含む画像データなどであってもよい。
【００２８】
情報取得部３０２０は、出力部２０６０が表示部２０６２を有する場合、少なくとも、撮像部３０２２及び入力受付部３０２６の内のいずれか１つ以上を有する。また、情報取得部３０２０は、出力部２０６０が音声出力部２０６４を有する場合、少なくとも、録音部３０２４及び入力受付部３０２６の内のいずれか１つ以上を有する。
【００２９】
＜作用・効果＞
本実施形態の情報収集システム５０００によれば、収集情報取得部２０２０によって取得された収集情報の内容が、出力部２０６０によって出力される。出力部２０６０は、収集情報の内容を、表示部２０６２を用いて視認可能に表示するか、又は音声出力部２０６４を用いて音声で出力する。そして、携帯端末３０００は、情報取得部３０２０を用いて、出力部２０６０による出力に対応する情報を取得する。そして、携帯端末３０００は、この情報に基づく送信情報を収集装置４０００に対して送信する。
【００３０】
以上により、本実施形態の情報収集システム５０００によれば、情報取得装置２０００が携帯端末３０００とデータ通信を行うことなく、情報取得装置２０００から携帯端末３０００へ情報が伝達される。そして、携帯端末３０００に伝達された情報が収集装置４０００へ送信される。よって、収集装置４０００は、収集対象の機器に関する情報（収集情報）の内容を把握することができる。したがって、例えば、情報取得装置２０００に携帯端末３０００とデータ通信を行う機能を設けるための開発コストや製造コストが不要となるため、情報収集システム５０００の構築にかかるコストが小さくなる。
【００３１】
＜情報取得装置２０００のハードウエア構成＞
情報取得装置２０００が有する各機能構成部は、例えば、個々に又は複数組み合わせられた状態で、少なくとも１つのハードウエア構成要素として実現される。その他にも例えば、各機能構成部は、少なくとも１つのソフトウエア構成要素として実現される。その他にも例えば、各機能構成部は、ハードウエア構成要素とソフトウエア構成要素の組み合わせにより実現される。
【００３２】
図２は、情報取得装置２０００のハードウエア構成を例示するブロック図である。図２において、情報取得装置２０００は、バス１０２０、プロセッサ１０４０、メモリ１０６０、及びストレージ１０８０を有する。
【００３３】
バス１０２０は、プロセッサ１０４０、メモリ１０６０、及びストレージ１０８０が、相互にデータを送受信するためのデータ伝送路である。プロセッサ１０４０は、例えば CPU (Central Processing Unit) や GPU (Graphics Processing Unit) などの演算処理装置である。メモリ１０６０は、例えば RAM (Random Access Memory) や ROM (Read Only Memory) などのメモリである。ストレージ１０８０は、例えばメモリカード、ハードディスク、又は SSD (Solid State Drive) などの記憶装置である。また、ストレージ１０８０は、RAM や ROM 等のメモリであってもよい。
【００３４】
収集情報取得モジュール１２２０は、情報取得装置２０００に、収集情報取得部２０２０の機能を持たせるためのプログラムである。プロセッサ１０４０は、収集情報取得モジュール１２２０を実行することで、収集情報取得部２０２０の機能を実現する。
【００３５】
出力モジュール１２６０は、情報取得装置２０００に、出力部２０６０の機能を持たせるためのプログラムである。プロセッサ１０４０は、出力モジュール１２６０を実行することで、出力部２０６０の機能を実現する。なお、出力モジュール１２６０は、表示モジュール１２６２及び音声出力モジュール１２６４のうち、いずれか１つ以上を有する。表示モジュール１２６２は、情報取得装置２０００に表示部２０６２の機能を持たせるためのプログラムであり、音声出力モジュール１２６４は、情報取得装置２０００に音声出力部２０６４の機能を持たせるためのプログラムである。
【００３６】
例えばプロセッサ１０４０は、上記各モジュールをメモリ１０６０上に読み出して実行する。ただし、プロセッサ１０４０は、上記各モジュールを、メモリ１０６０上に読み出さずに実行してもよい。
【００３７】
ストレージ１０８０は、上記各モジュールを格納する。
【００３８】
情報取得装置２０００のハードウエア構成は、図２に示した構成に限定されない。例えば、各モジュールはメモリ１０６０に格納されてもよい。この場合、情報取得装置２０００は、ストレージ１０８０を備えていなくてもよい。
【００３９】
＜携帯端末３０００のハードウエア構成＞
携帯端末３０００は、携帯電話やタブレット端末など、種々の携帯端末である。携帯端末３０００が有する各機能構成部は、例えば、個々に又は複数組み合わせられた状態で、少なくとも１つのハードウエア構成要素として実現される。その他にも例えば、各機能構成部は、少なくとも１つのソフトウエア構成要素として実現される。その他にも例えば、各機能構成部は、ハードウエア構成要素とソフトウエア構成要素の組み合わせにより実現される。
【００４０】
図３は、携帯端末３０００のハードウエア構成を例示するブロック図である。図３において、携帯端末３０００は、バス６０２０、プロセッサ６０４０、メモリ６０６０、ストレージ６０８０、及びネットワークアダプタ６１００を有する。バス６０２０、プロセッサ６０４０、メモリ６０６０、ストレージ６０８０はそれぞれ、バス１０２０、プロセッサ１０４０、メモリ１０６０、ストレージ１０８０と同様の機能を有する。ネットワークアダプタ６１００は、収集装置４０００と無線通信を行うためのインタフェースである。
【００４１】
情報取得モジュール６２２０は、携帯端末３０００に、情報取得部３０２０の機能を持たせるためのプログラムである。プロセッサ６０４０は、情報取得モジュール６２２０を実行することで、情報取得部３０２０の機能を実現する。
【００４２】
情報取得モジュール６２２０は、撮像モジュール６２２２、録音モジュール６２２４、及び入力受付モジュール６２２６のいずれか一つ以上を有する。撮像モジュール６２２２は、携帯端末３０００に、撮像部３０２２の機能を持たせるためのプログラムである。録音モジュール６２２４は、携帯端末３０００に、録音部３０２４の機能を持たせるためのプログラムである。入力受付モジュール６２２６は、携帯端末３０００に、入力受付部３０２６の機能を持たせるためのプログラムである。
【００４３】
情報送信モジュール６２４０は、携帯端末３０００に、情報送信部３０４０の機能を持たせるためのプログラムである。プロセッサ１０４０は、情報送信モジュール６２４０を実行することで、情報送信部３０４０の機能を実現する。
【００４４】
なお、情報取得装置２０００の構成が図２の構成に限定されないことと同様に、携帯端末３０００の構成は図３の構成に限定されない。
【００４５】
＜処理の流れ＞
図４は、実施形態１の情報収集システム５０００によって実行される処理の流れを例示するフローチャートである。ここで、図４において、情報取得部３０２０は、撮像部３０２２を用いるとする。
【００４６】
ステップＳ１０２において、収集情報取得部２０２０は、収集情報を取得する。ステップＳ１０４において、表示部２０６２は、収集情報の内容を表示する。
【００４７】
ステップＳ１０６において、撮像部３０２２は、表示部２０６２の表示を撮像して画像データを生成する。ステップＳ１１０において、情報送信部３０４０は、画像データに基づく送信情報を収集装置４０００へ送信する。
【００４８】
情報取得部３０２０が録音部３０２４を利用する場合について説明する。この場合、ステップＳ１０４において、音声出力部２０６４は、収集情報の内容を音声で出力する。そして、ステップＳ１０６において、録音部３０２４は、音声出力部２０６４によって出力された音声を録音して録音データを生成する。さらに、情報送信部３０４０は、録音データに基づく送信情報を収集装置４０００へ送信する。
【００４９】
情報取得部３０２０が入力受付部３０２６を利用する場合について説明する。この場合、ステップＳ１０４において、出力部２０６０は、表示部２０６２又は音声出力部２０６４を用いて収集情報の内容を出力する。そして、ステップＳ１０６において、入力受付部３０２６は、入力データの入力を受け付ける。さらに、情報送信部３０４０は、入力データに基づく送信情報を収集装置４０００へ送信する。
【００５０】
以下、本実施形態の情報収集システム５０００やその使用環境について、さらに詳細に説明する。
【００５１】
＜収集情報取得部２０２０の詳細＞
収集情報取得部２０２０が対象機器から収集情報を取得する契機は様々である。例えば収集情報取得部２０２０には、収集情報を取得する時点や取得する時間間隔が設定されている。収集情報取得部２０２０は、この設定に従って、収集情報の取得を行う。ここで、収集情報の種類が複数ある場合、例えば収集情報取得部２０２０には、収集情報の種類ごとに上記設定がされている。なお、収集情報取得部２０２０は、不定期に収集情報を取得してもよい。例えば、収集情報取得部２０２０は、対象機器から収集情報が送信された場合にその収集情報を受信することによって、収集情報を取得する。
【００５２】
＜表示部２０６２の詳細＞
表示部２０６２は表示画面を有し、その表示画面に収集情報を表示する。例えば表示部２０６２は、収集情報の内容をそのまま表示画面に表示する。収集情報の内容は、文字列や画像などで表される。なお、特に言及しない限り、文字列は数値列も含む。収集情報の内容をそのまま表示画面に表示する処理は、一般の PC（Personal Computer）などにおいて、ファイルの内容をディスプレイに表示する処理と同様である。
【００５３】
また、例えば表示部２０６２は、収集情報を画像に変換して表示する。例えばこの画像は、一次元コードや二次元コードなどである。ここで、一次元コードや二次元コードを生成する技術は既知の技術であるため、生成方法の詳細に関する説明は省略する。
【００５４】
また、表示部２０６２が有する表示画面は、７セグメントディスプレイであってもよい。この場合、表示部２０６２は、収集情報を数値で出力する。収集情報の内容が数値列以外の文字列（例：漢字、ひらがな、アルファベットなど）で表される場合、表示部２０６２は、収集情報を数値列に変換して出力する。例えば表示部２０６２は、各文字を、特定の文字コードにおいてその文字に割り当てられている数値符号に変換する。
【００５５】
また例えば、表示部２０６２は、収集情報に含まれる各ひらがな又はカタカナを、子音を表す数値と母音を表す数値の組み合わせに変換してもよい。これは、携帯電話における入力方式の１つである２タッチ入力で利用される文字の表現方法である。例えば、「し」というひらがなは、「３、２」という２つの数値の組み合わせで表される。
【００５６】
収集情報の内容が文字列や数値列でないデータ（例：画像）を含む場合、例えば表示部２０６２は、このデータを表すビット列やバイト列を表示する。
【００５７】
なお、表示部２０６２は、表示画面が７セグメントディスプレイではなく通常のディスプレイである場合にも、上述のように、収集情報を数値列として表示してもよい。
【００５８】
また、収集情報のサイズが大きいために収集情報の内容を表示画面上に一度に表示できない場合、例えば表示部２０６２は、収集情報を適切なサイズに分割し、分割した情報を順に表示画面に表示する。
【００５９】
＜音声出力部２０６４＞
音声出力部２０６４は、収集情報を音声で出力する。そのために、音声出力部２０６４は、音声を出力するスピーカなどを有する。
【００６０】
例えば音声出力部２０６４は、収集情報の内容を表す文字列に含まれる各文字を音声に変換する。例えば、音声出力部２０６４は、各文字に対応づけて、各文字の音声を格納する音声格納部を有する。音声出力部２０６４は、収集情報の各文字に対応する音声を、音声格納部から取得することで、収集情報を音声に変換する。文字列を音声に変換して出力する技術は、例えば書籍を音声で読み上げる技術などで知られている。音声出力部２０６４は、このような既知の技術を利用して実現することができる。そのため、音声出力部２０６４が行う処理は、例示した、文字を１つずつ音声に変換する処理に限定されない。例えば、単語ごとに音声に変換する場合もある。
【００６１】
なお、音声出力部２０６４は、収集情報を前述した数値列やバイト列などに変換し、その数値列やバイト列を音声として出力してもよい。例えば、音声出力部２０６４は、「０」という数値を「ぜろ」という音声で出力する。
【００６２】
＜撮像部３０２２の詳細＞
撮像部３０２２は、表示部２０６２による表示を撮像して、画像データを生成する。例えば撮像部３０２２は、カメラを有する。そして、撮像部３０２２は、このカメラで表示部２０６２の表示画面を撮像することで、画像データを生成する。
【００６３】
＜録音部３０２４の詳細＞
録音部３０２４は、音声出力部２０６４によって出力された音声を録音して、録音データを生成する。そのため、録音部３０２４は、音声を取得するマイク等を有する。そして、録音部３０２４は、このマイク等を用いて取得した音声を録音した録音データを生成する。
【００６４】
＜入力受付部３０２６の詳細＞
入力受付部３０２６は、例えば携帯端末３０００のユーザが手動で情報を入力するためのキーボードやタッチパネルなどを有する。携帯端末３０００のユーザは、表示部２０６２の表示を見たり、音声出力部２０６４によって出力された音声を聞いたりして収集情報の内容を把握し、把握した内容をこのキーボードやタッチパネルを用いて入力する。例えば収集情報の内容が文字列である場合、携帯端末３０００のユーザは、入力受付部３０２６に対してこの文字列を入力する。また例えば、収集情報の内容が図形やグラフ等である場合、携帯端末３０００のユーザは、入力受付部３０２６が有するタッチパネル等でこの図形やグラフ等を描画することで、収集情報の内容を入力する。入力データは、このようにして入力受付部３０２６に対して入力されたデータである。
【００６５】
なお、入力受付部３０２６は、音声入力を受け付けてもよい。この場合、入力データは、受け付けた音声を録音した録音データである。入力受付部３０２６が音声入力を受け付ける場合、入力受付部３０２６は、マイク等を有する。ただし、録音部３０２４と入力受付部３０２６は、１つのマイクを共有してもよい。
【００６６】
例えば周囲の雑音がうるさい場合など、音声出力部２０６４によって出力された音声を録音部３０２４で録音しても、録音データから収集情報の内容を把握することが難しい場合がある。このような場合、例えば携帯端末３０００のユーザが、音声出力部２０６４による出力を聞いた後、静かな場所に移動してから音声入力を行うことで、音声出力部２０６４は、収集情報の内容が把握できる録音データを生成できる。また、携帯端末３０００のユーザは、表示部２０６２の表示を見て、その表示によって把握できる収集情報の内容を、入力受付部３０２６に対して音声入力してもよい。
【００６７】
＜収集装置４０００の詳細＞
例えば収集装置４０００は、PC やサーバなど、種々の計算機である。また、収集装置４０００は、携帯端末であってもよい。例えば収集装置４０００は、収集情報を格納するデータベースである。また例えば、収集装置４０００は、収集情報を解析する装置である。
【００６８】
収集装置４０００と携帯端末３０００との間は、例えば広域無線回線を介して接続されている。この広域無線回線は、例えば PHS（Personal Handy-phone System）、3G（3rd Generation）、WiMAX（Worldwide Interoperability for Microwave Access）、LTE（Long Term Evolution）等の通信規格で通信を行う無線回線である。また、携帯端末３０００は、近距離無線回線を介してルータ等と接続し、このルータ等を経由して収集装置４０００に対して送信情報を送信してもよい。近距離無線回線は、例えば、Wi-Fi（Wireless Fidelity）に代表される無線 LAN や、Bluetooth（登録商標）、ZigBee 等の通信規格で通信を行う無線回線である。
【００６９】
[実施形態２]
図５は、実施形態２に係る情報収集システム５０００を、その使用環境と共に例示するブロック図である。図５において、矢印の流れは情報の流れを示している。また、図５において、各ブロックは、ハードウエア単位の構成ではなく、機能単位の構成を示している。以下で説明する点を除き、実施形態２の情報収集システム５０００は、実施形態１の情報収集システム５０００と同様である。
【００７０】
実施形態２の情報収集システム５０００は、復元部５０２０を有する。復元部５０２０は、情報取得部３０２０によって生成されたデータから、収集情報を復元する。収集情報を復元する具体的な方法は、情報取得部３０２０によって生成されたデータに依存する。つまり、情報取得部３０２０が情報を取得する方法に依存する。復元部５０２０には、情報取得部３０２０がデータを取得する方法に対応する復元処理を実装する。以下、具体的に説明する。
【００７１】
＜情報取得部３０２０が撮像部３０２２を用いる場合＞
まず、情報取得部３０２０が、撮像部３０２２を用いて情報を取得する場合について説明する。
【００７２】
表示部２０６２の表示が一次元コード又は二次元コードである場合について説明する。この場合、復元部５０２０は、撮像部３０２２によって撮像された画像データから、一次元コード又は二次元コードを抽出する。そして、抽出した一次元コード又は二次元コードを解析することで、収集情報を復元する。なお、画像データから一次元コードや二次元コードを抽出する技術、及び一次元コードや二次元コードから元の情報を復元する技術は、共に既知の技術である。そのため、これらの技術に関する詳細な説明は省略する。
【００７３】
表示部２０６２の表示が文字列である場合について説明する。この場合、復元部５０２０は、撮像部３０２２によって生成された画像データから文字列を認識する。画像データに含まれる文字列を認識する技術は、例えば、スキャンした文書に対して文字認識を行う技術として知られている。復元部５０２０は、このような技術を利用することで、文字列で表される収集情報を復元する。
【００７４】
表示部２０６２の表示が図形やグラフなどである場合について説明する。この場合、復元部５０２０は、撮像部３０２２によって生成された画像データから、図形やグラフなどを抽出することで、収集情報を復元する。
【００７５】
表示部２０６２が文字列や画像などを数値列に変換して表示する場合について説明する。この場合、復元部５０２０は、撮像部３０２２によって生成された画像データを解析することで数値列を認識する。そして、復元部５０２０は、認識した数値列に対して、表示部２０６２で行われた変換の逆変換を行うことで、数値列から収集情報を復元する。
【００７６】
＜情報取得部３０２０が録音部３０２４を用いる場合＞
復元部５０２０は、録音部３０２４によって生成された録音データから、収集情報を復元する。復元部５０２０は、録音データに含まれる数値列や文字列を認識する。ここで、音声データから数値列や文字列を認識する抽出する技術は、例えば音声認識等の分野における既知の技術である。そのため、詳細な説明は省略する。
【００７７】
音声出力部２０６４が、収集情報の内容を表す文字列をそのまま音声として出力した場合、復元部５０２０によって認識された文字列が収集情報となる。
【００７８】
一方、音声出力部２０６４が、収集情報の内容を別の形式に変換してから出力している場合、音声出力部２０６４は、認識した文字列に対して、音声出力部２０６４が行った変換の逆変換を行うことで、収集情報を復元する。
【００７９】
＜情報取得部３０２０が入力受付部３０２６を用いる場合＞
入力受付部３０２６が文字列や図形の入力を受け付けた場合、入力データを収集情報として扱うことができる。そのため、復元部５０２０が動作する必要はない。一方、入力受付部３０２６が音声入力を受け付けた場合、復元部５０２０は、録音部３０２４によって生成された録音データと同様に、入力受付部３０２６によって生成された録音データから、収集情報の復元を行う。
【００８０】
復元部５０２０は、携帯端末３０００に設けられてもよいし、収集装置４０００に設けられてもよい。また、復元部５０２０は、図３に図示されていない別の装置（以下、復元装置）に設けられていてもよい。
【００８１】
情報送信部３０４０は、復元部５０２０によって復元された収集情報を、送信情報として送信してもよい。この場合、情報送信部３０４０は、情報取得部３０２０によって生成されたデータを復元部５０２０に入力することで、復元された収集情報を得る。そして、情報送信部３０４０は、この復元された収集情報を、送信情報として送信する。
【００８２】
情報送信部３０４０が復元された収集情報を送信する場合、復元部５０２０は、携帯端末３０００又は復元装置に設けられる。復元部５０２０が復元装置に設けられている場合、携帯端末３０００と復元装置とは、通信可能に接続されている。携帯端末３０００は、情報取得部３０２０によって生成されたデータを復元装置へ送信する。そして、携帯端末３０００は、復元部５０２０によって復元された収集情報を復元装置から受信する。
【００８３】
また、情報送信部３０４０は、情報取得部３０２０によって生成されたデータを収集装置４０００へ送信してもよい。この場合、収集装置４０００は、携帯端末３０００から受信した情報を復元部５０２０に入力することで、復元された収集情報を得る。
【００８４】
収集装置４０００が情報取得部３０２０によって生成されたデータを受信する場合、復元部５０２０は、収集装置４０００又は復元装置に設けられる。復元部５０２０が復元装置に設けられている場合、収集装置４０００と復元装置とは、通信可能に接続されている。収集装置４０００は、携帯端末３０００から受信した情報を復元装置へ送信する。そして、収集装置４０００は、復元部５０２０によって復元された収集情報を復元装置から受信する。
【００８５】
ここで、表示部２０６２によって収集情報の内容が表示された場合、復元部５０２０は、収集情報の復元を行うために、表示部２０６２が収集情報の内容を表示した方法を把握する必要がある。例えば、表示部２０６２が数値を表示する場合、復元部５０２０は、その数値が収集情報そのものを表しているのか、収集情報を変換したもの（例：文字を文字コードにおける数値符号に変換したもの）を表しているのかを把握する必要がある。
【００８６】
そのために、例えば表示部２０６２が収集情報を表示する方法を予め定めておき、その方法に応じて復元部５０２０を実装するようにする。
【００８７】
また例えば、表示部２０６２が、収集情報に加え、収集情報を表示する方法を識別するための情報を表示するようにする。例えば、表示部２０６２が数値を表示する場合、表示部２０６２が最初に表示する所定長の数値列を、表示部２０６２が収集情報を表示する方法を識別するための情報とする。例えば、表示部２０６２が最初に０を表示した場合は、表示部２０６２が収集情報の内容をそのまま表示することを表し、表示部２０６２が最初に１を表示した場合は、表示部２０６２が文字列で表される収集情報の各文字を特定の文字コードにおける数値符号に変換して表示することを表す。なお、出力部２０６０が複数の文字コードを扱う場合、最初の数値で文字コードの種類も表すようにしてもよい。例えば、最初の数値が１の場合と２の場合とは、双方とも、文字列を文字コードにおける数値符号に変換して表示する方法を表すものの、前者の場合と後者の場合とでは、扱う文字コードが異なる。
【００８８】
音声出力部２０６４が収集情報の内容を音声で出力した方法を復元部５０２０が把握する方法は、上述した、表示部２０６２が収集情報の内容を表示した方法を復元部５０２０が把握する方法と同様である。
【００８９】
＜作用・効果＞
本実施形態によれば、復元部５０２０により、収集情報が復元される。そのため、実施形態１の場合と比較し、収集装置４０００は、情報取得装置２０００によって取得された情報をより適切に取得又は利用できる。
【００９０】
例えば、実施形態１において、情報取得装置２０００によって収集情報の内容が音声で出力された場合、収集装置４０００は、この音声が録音された録音データを取得する。情報取得装置２０００が収集情報の内容をそのまま音声で出力したならば、収集装置４０００によって取得された録音データを再生することにより、収集情報の内容を把握することができる。しかし、収集情報の内容を把握するために録音データを再生する必要があるため、手間がかかる。また、収集情報の内容を文章ファイルなどに転用したり、収集情報の内容を解析したりすることが難しい。
【００９１】
本実施形態によれば、復元部５０２０が収集情報を復元する。そのため、収集情報の内容を把握するための手間が少なくなる。また、収集情報の内容を転用したり解析したりすることが容易になる。
【００９２】
[実施形態３]
図６は、実施形態３に係る情報収集システム５０００を、その使用環境と共に例示するブロック図である。図６において、矢印の流れは情報の流れを示している。また、図６において、各ブロックは、ハードウエア単位の構成ではなく、機能単位の構成を示している。以下で説明する点を除き、実施形態３の情報収集システム５０００は、実施形態１又は２の情報収集システム５０００と同様である。
【００９３】
実施形態３の情報取得装置２０００は、変換部２０４０を有する。変換部２０４０は、収集情報取得部２０２０によって取得された収集情報を暗号化又は圧縮する。実施形態３の出力部２０６０は、変換部２０４０によって暗号化又は圧縮された収集情報を出力する。
【００９４】
実施形態３の復元部５０２０は、情報取得部３０２０によって生成されたデータから、暗号化又は圧縮された収集情報を復元する。さらに、復元部５０２０は、暗号化又は圧縮された収集情報から、元の収集情報を復元する。
【００９５】
実施形態３の復元部５０２０が、情報取得部３０２０によって生成されたデータから暗号化又は圧縮された収集情報を復元する方法は、実施形態２の復元部５０２０が、情報取得部３０２０によって生成されたデータから収集情報を復元する方法と同様である。
【００９６】
実施形態３の復元部５０２０が、暗号化又は圧縮された収集情報から元の収集情報を復元する方法は、変換部２０４０による暗号化又は圧縮の方法に依存する。そのため、復元部５０２０は、変換部２０４０が実行する処理に対応する処理を行うように実装しておく。ここで、暗号化されたデータを復号する技術や、圧縮されたデータを解凍する技術は、既知の技術である。そのため、各技術の詳細な説明は省略する。
【００９７】
＜作用・効果＞
セキュリティの観点から、収集情報の内容を携帯端末３０００のユーザや第三者に知られたくない場合が考えられる。この場合、情報取得装置２０００が収集情報の内容をそのまま出力することは好ましくない。変換部２０４０によって収集情報を暗号化すると、出力部２０６０によって出力された情報を見たり聞いたりした者が、収集情報の内容を知ることができないようになる。こうすることで、情報収集システム５０００におけるセキュリティが向上する。
【００９８】
また、収集情報のサイズが大きいと、携帯端末３０００が出力部２０６０から情報を取得するために要する時間が長くなる。その結果、収集装置４０００が収集情報を取得するために要する時間が長くなる。また、出力部２０６０から情報を取得するために要する時間が長いと、携帯端末３０００のユーザが、携帯端末３０００を用いて出力部２０６０から情報を取得することを避けてしまう可能性がある。そうすると、収集装置４０００が収集情報を取得できる時点が遅くなってしまう。また、収集情報のサイズが大きいと、情報取得装置２０００や携帯端末３０００が消費する計算機資源やエネルギーの量が多い。
【００９９】
変換部２０４０が収集情報を圧縮すると、出力部２０６０によって出力される情報のサイズが小さくする。その結果、収集装置４０００が収集情報を取得するために要する時間が短くなったり、情報取得装置２０００や携帯端末３０００が消費する計算機資源及びエネルギーの量を少なくなったりするという効果がある。
【０１００】
[実施形態４]
図７は、実施形態４に係る情報取得装置２０００を例示するブロック図である。図７において、矢印の流れは情報の流れを示している。また、図７において、各ブロックは、ハードウエア単位の構成ではなく、機能単位の構成を示している。以下で説明する点を除き、実施形態４の情報収集システム５０００は、実施形態１から３いずれかの情報収集システム５０００と同様である。
【０１０１】
実施形態４の情報取得装置２０００は、指示受付部２０８０を有する。指示受付部２０８０は、情報取得装置２０００の外部から指示を受け付ける。実施形態４の出力部２０６０は、指示受付部２０８０が上記指示を受け付けた場合のみ動作する。
【０１０２】
例えば、指示受付部２０８０が指示を受け付けた場合のみ、収集情報取得部２０２０が動作するようにする。収集情報取得部２０２０は、指示受付部２０８０から通知を受けたり、指示受付部２０８０の動作を監視したりすることにより、指示受付部２０８０が指示を受け付けたことを検知する。そして、収集情報取得部２０２０が動作したことを受け、出力部２０６０が動作するようにする。
【０１０３】
また例えば、指示受付部２０８０が指示を受け付けたことを、出力部２０６０が検知してもよい。出力部２０６０は、前述した収集情報取得部２０２０が行う方法と同様の方法で、指示受付部２０８０が指示を受け付けたことを検知する。この場合、収集情報取得部２０２０は、例えば定期的又は不定期に収集情報を取得し、情報取得装置２０００の内部に格納しておいてもよい。また、収集情報取得部２０２０は、上述の検知を行った出力部２０６０から通知を受けることにより、動作を開始してもよい。
【０１０４】
指示受付部２０８０が受け付ける指示は、収集情報の種類を示してもよい。この場合、収集情報取得部２０２０は、指示受付部２０８０が指示を受け付けてから動作する。そして、収集情報取得部２０２０は、指示に示される種類の収集情報を取得する。こうすることで、収集情報の種類が複数ある場合に、情報取得装置２０００の外部から、情報取得装置２０００が取得すべき収集情報を指定することができる。よって、収集装置４０００に、収集装置４０００の管理者等が意図した種類の収集情報のみを取得させることができる。こうすることで、収集情報の取得や出力を行うために情報取得装置２０００が消費する計算機資源や消費エネルギーが削減される。同様に、携帯端末３０００が取得及び送信する情報も削減されるため、携帯端末３０００が消費する計算機資源や消費エネルギーも削減される。
【０１０５】
＜作用・効果＞
出力部２０６０が適切なタイミングで動作しないと、収集装置４０００は収集対象の機器に関する情報を取得することができないことがある。例えば、出力部２０６０は、携帯端末３０００が近くにある場合に動作することが好ましい。不適切なタイミングで出力部２０６０が動作した場合、情報取得装置２０００の計算機資源やエネルギーが無駄になることがある。
【０１０６】
本実施形態によれば、指示受付部２０８０が指示を受け付けた場合のみ、出力部２０６０が動作する。そのため、出力部２０６０を適切なタイミングで動作させることができる。その結果、情報取得装置２０００の計算機資源やエネルギーが無駄になることを防ぐことができる。
【０１０７】
[実施形態５]
図８は、実施形態５に係る情報収集システム５０００を、その使用環境と共に例示するブロック図である。図８において、矢印の流れは情報の流れを示している。また、図８において、各ブロックは、ハードウエア単位の構成ではなく、機能単位の構成を示している。以下で説明する点を除き、実施形態５の情報収集システム５０００は、実施形態４の情報収集システム５０００と同様である。
【０１０８】
実施形態５の情報収集システム５０００は、指示送信部５０４０を有する。指示送信部５０４０は、実施形態２で説明した指示の内容を示す情報である指示情報を、携帯端末３０００に対して送信する。
【０１０９】
実施形態５の携帯端末３０００は、指示受信部３０８０を有する。指示受信部３０８０は、指示送信部５０４０から指示情報を受信する。実施形態５の指示受付部２０８０は、例えば、指示情報の内容を見た携帯端末３０００のユーザによる手動の指示を受け付ける。
【０１１０】
ここで、指示送信部５０４０は、情報取得装置２０００及び携帯端末３０００以外の装置に設けられる。例えば指示送信部５０４０は、収集装置４０００の内部に設けられる。ただし、指示送信部５０４０は、収集装置４０００以外の装置に設けられてもよい。例えば指示送信部５０４０は、実施形態２で説明した復元装置に設けられてもよい。
【０１１１】
＜作用・効果＞
本実施形態によれば、携帯端末３０００は、指示受付部２０８０に与える指示の内容を受信する。これにより、携帯端末３０００のユーザは、携帯端末３０００が受信した指示の内容を見て、情報取得装置２０００に対して指示を与えることができる。こうすると、情報取得装置２０００は、出力部２０６０によって出力される情報を取得する携帯端末３０００のユーザから指示を受けてから動作するようになる。そのため、携帯端末３０００によって情報が取得されないタイミングで動作することがない。よって、情報取得装置２０００が計算機資源やエネルギーを無駄に消費することを防ぐことができる。
【０１１２】
[実施形態６]
図９は、実施形態６に係る情報収集システム５０００を、その使用環境と共に例示するブロック図である。図９において、矢印の流れは情報の流れを示している。また、図９において、各ブロックは、ハードウエア単位の構成ではなく、機能単位の構成を示している。以下で説明する点を除き、実施形態６の情報収集システム５０００は、実施形態５の情報収集システム５０００と同様である。
【０１１３】
実施形態６の情報収集システム５０００は、特典付与部５０６０を有する。特典付与部５０６０は、収集装置４０００へ送信情報を送信した携帯端末３０００に、特典を付与する。
【０１１４】
実施形態６において、指示送信部５０４０が送信する指示情報は、携帯端末３０００に与える特典の内容を示す。携帯端末３０００のユーザは、指示情報に示されている特典の内容を見ることで、収集装置４０００に対して送信情報を送信した場合に得られる特典を知ることができる。
【０１１５】
特典付与部５０６０が携帯端末３０００に対して付与する特典は様々である。例えば特典付与部５０６０は、携帯端末３０００に対して、「特典の商品を購入する際に割引を受けることができる」という特典を与える。その他にも例えば、この特典は、特定の懸賞への応募資格などであってもよい。また例えば、この特典は、「通常では購入することができない特別な商品を購入する権利」であってもよい。
【０１１６】
特典付与部５０６０が携帯端末３０００に対して特典を付与する方法は様々である。例えば特典付与部５０６０は、携帯端末３０００に対して、付与する特典に関する情報を送信する。携帯端末３０００は、特典付与部５０６０から受信した特典に関する情報を、携帯端末３０００の内部又は外部に備える格納部へ格納する。携帯端末３０００は、この格納部へアクセスすることで、付与された特典を参照したり、利用したりする。
【０１１７】
また例えば、携帯端末３０００に対して付与された特典を管理する特典管理システムを別途設けてもよい。この場合、特典付与部５０６０は、携帯端末３０００の ID と、その携帯端末３０００に付与する特典とを対応づけた情報を、上記特典管理システムへ送信する。特典管理システムは、携帯端末３０００の ID と、その携帯端末３０００に付与されている特典とを対応づけて管理する。なお、１つの携帯端末３０００に付与されている特典は、複数であってもよい。携帯端末３０００は、この特典管理システムにアクセスすることで、付与された特典を参照したり、利用したりする。
【０１１８】
図１０は、指示情報が示す特典の内容に関する情報をテーブル形式で例示する図である。図１０のテーブルを、特典情報テーブル２００と表記する。特典情報テーブル２００は、収集情報２０２、特典２０４、及び所在地２０６という列を有している。
【０１１９】
収集情報 ID ２０２は、収集情報を特定する情報である。特典情報テーブル２００の各レコードは、収集情報２０２で特定される収集情報に対応する情報を収集装置４０００へ送信することで携帯端末３０００が得ることができる特典を、特典２０４で表す。
【０１２０】
例えば収集情報 ID ２０２は、収集情報の内容を出力する情報取得装置２０００の ID と、その情報取得装置２０００が出力する収集情報に付与される通し番号によって特定される。例えば図１０の１行目の収集情報２０２が示す C1-0001 は、情報取得装置２０００の ID が C1 であり、通し番号が0001 である収集情報を表す。
【０１２１】
さらに、収集情報 ID ２０２は、収集情報の種類を特定する情報を含んでいてもよい。例えば図１０の２行目の収集情報 ID ２０２が示す C1-G1-0001 は、情報取得装置２０００の ID が C1 であり、種類の ID が G1 であり、通し番号が 0001 である収集情報を表す。
【０１２２】
所在地２０６は、収集情報２０２で特定される収集情報に対応する情報取得装置２０００の所在地を表す。例えば所在地２０６は、住所や地図データによって表される。例えば地図データは、特定の地図アプリケーションにおける座標や、GPS（Global Positioning System）等の汎用システムにおける座標で表される。
【０１２３】
所在地２０６は、特典２０４で示される特典を得るために情報取得装置２０００がある場所へ移動したい携帯端末３０００のユーザが、その情報取得装置２０００の場所を把握するために用いられる。ただし、携帯端末３０００は、情報取得装置２０００の所在地を別の方法で取得してもよい。この場合、特典情報テーブル２００は、所在地２０６を含まなくてもよい。
【０１２４】
＜作用・効果＞
本実施形態によれば、指示情報に、携帯端末３０００に対して与えられる特典の内容が示されている。そのため、指示情報を受信した携帯端末３０００は、積極的に情報取得装置２０００のある場所まで移動し、情報取得装置２０００から情報を取得して、収集装置４０００へ情報を送信するようになる。よって、収集装置４０００が収集対象の機器に関する情報を取得できる確率が高くなる。また、偶然に携帯端末３０００が情報取得装置２０００のある場所まで移動してくることを待つ場合と比較し、収集装置４０００がより早期に収集対象の機器に関する情報を取得できるようになる。
【０１２５】
＜変形例＞
実施形態６では、特典の内容を示す情報が、指示情報に含まれている。しかし、特典の内容を示す情報は、指示情報とは別に送信されてもよい。この場合、情報収集システム５０００は、特典の内容を示す情報を送信する機能構成部を有する。また、携帯端末３０００は、特典の内容を示す情報を受信する機能構成部を有する。特典の内容を示す情報を送信する機能構成部は、特典付与部５０６０などと同様に、収集装置４０００や復元装置などに設けられる。
【０１２６】
以上、図面を参照して本発明の実施形態について述べたが、これらは本発明の例示であり、上記実施形態の組み合わせ、及び上記実施形態以外の様々な構成を採用することもできる。
【０１２７】
以下、参考形態の例を付記する。
１．  情報取得装置及び携帯端末を有する情報収集システムであって、
前記情報取得装置は、
収集情報を取得する収集情報取得手段と、
前記収集情報の内容を視認可能に表示する表示手段、及び前記収集情報の内容を音声で出力する音声出力手段のうち、いずれか１つ以上を有する出力手段と、を有し、
前記携帯端末は、
前記表示手段による表示を撮像して画像データを生成する撮像手段と、前記音声出力手段によって出力された音声を録音して録音データを生成する録音手段と、前記表示手段による表示若しくは前記音声出力手段によって出力された音声に対応する情報の入力を受け付けて入力データを生成する入力受付手段と、の内のいずれか１つ以上を有する情報取得手段と、
前記情報取得手段によって生成されたデータに基づく送信情報を収集装置へ送信する情報送信手段と、を有し、
前記情報取得手段は、
前記出力手段が前記表示手段を有する場合、少なくとも、前記撮像手段及び前記入力受付手段の内のいずれか１つ以上を有し、
前記出力手段が前記音声出力手段を有する場合、少なくとも、前記録音手段及び前記入力受付手段の内のいずれか１つ以上を有する情報収集システム。
２．  前記情報取得手段によって生成されたデータから前記収集情報を復元する復元手段を有する１．に記載の情報収集システム。
３．  前記情報取得装置は、
前記収集情報の暗号化又は圧縮を行う変換手段を有し、
前記出力手段は、前記変換手段によって暗号化又は圧縮された前記収集情報を出力し、
前記復元手段は、前記収集情報取得手段によって取得された情報から、暗号化又は圧縮された前記収集情報を復元し、さらに、暗号化又は圧縮された前記収集情報から前記収集情報を復元する、
２．に記載の情報収集システム。
４．  前記情報取得装置は、その情報取得装置の外部から指示を受け付ける指示受付手段を有し、
前記出力手段は、前記指示受付手段が前記指示を受け付けた場合のみ動作する、
１．乃至３．いずれか一項に記載の情報収集システム。
５．  前記指示は、前記収集情報の種類を示し、
前記収集情報取得手段は、前記指示に示される種類の前記収集情報を取得する、
４．に記載の情報収集システム。
６．  前記携帯端末に対して、前記指示の内容を示す指示情報を送信する指示情報送信手段を有し、
前記携帯端末は、前記指示情報を受信する指示情報受信手段を有する、
４．又は５．に記載の情報収集システム。
７．  前記収集装置へ前記送信情報を送信した前記携帯端末に特典を付与する特典付与手段を有し、
前記指示情報は、前記携帯端末に与える特典の内容を示す、
６．に記載の情報収集システム。
８．  前記出力手段は前記表示手段を有し、
前記表示手段は、前記収集情報を画像に変換して表示する、
１．乃至７．いずれか一項に記載の情報収集システム。
９．  前記出力手段は前記表示手段を有し、
前記表示手段は、７セグメントディスプレイを用いて前記収集情報の内容を表示する１．乃至７．いずれか一項に記載の情報収集システム。
１０．  前記情報取得装置は自動販売機又はガスボンベに備えられている、１．乃至９．いずれか一項に記載の情報収集システム。
１１．  情報取得装置及び携帯端末を有する情報収集システムによって実行される情報収集方法であって、
前記情報取得装置が収集情報を取得する収集情報取得ステップと、
前記情報取得装置が前記収集情報の内容を視認可能に表示する表示ステップ、及び前記情報取得装置が前記収集情報の内容を音声で出力する音声出力ステップのうち、いずれか１つ以上を有する出力ステップと、
前記携帯端末が前記表示ステップによる表示を撮像して画像データを生成する撮像ステップと、前記携帯端末が前記音声出力ステップによって出力された音声を録音して録音データを生成する録音ステップと、前記携帯端末が前記表示ステップによる表示若しくは前記音声出力ステップによって出力された音声に対応する入力データの入力を受け付ける入力受付ステップと、の内のいずれか１つ以上を有する情報取得ステップと、
前記携帯端末が、前記情報取得ステップによって生成されたデータに基づく送信情報を収集装置へ送信する情報送信ステップと、を有し、
前記情報取得ステップは、
前記出力ステップが前記表示ステップを有する場合、少なくとも、前記撮像ステップ及び前記入力受付ステップの内のいずれか１つ以上を有し、
前記出力ステップが前記音声出力ステップを有する場合、少なくとも、前記録音ステップ及び前記入力受付ステップの内のいずれか１つ以上を有する情報収集方法。
１２．  前記収集情報取得ステップによって生成されたデータから前記収集情報を復元する復元ステップを有する１１．に記載の情報収集方法。
１３．  前記情報取得装置が前記収集情報の暗号化又は圧縮を行う変換ステップを有し、
前記出力ステップは、前記変換ステップによって暗号化又は圧縮された前記収集情報を出力し、
前記復元ステップは、前記収集情報取得ステップによって取得された情報から、暗号化又は圧縮された前記収集情報を復元し、さらに、暗号化又は圧縮された前記収集情報から前記収集情報を復元する、
１２．に記載の情報収集方法。
１４．  前記情報取得装置が、その情報取得装置の外部から指示を受け付ける指示受付ステップを有し、
前記出力ステップは、前記指示受付ステップが前記指示を受け付けた場合のみ動作する、
１１．乃至１３．いずれか一項に記載の情報収集方法。
１５．  前記指示は、前記収集情報の種類を示し、
前記収集情報取得ステップは、前記指示に示される種類の前記収集情報を取得する、
１４．に記載の情報収集方法。
１６．  前記携帯端末に対して、前記指示の内容を示す指示情報を送信する指示情報送信ステップを有し、
前記携帯端末が前記指示情報を受信する指示情報受信ステップを有する、
１４．又は１５．に記載の情報収集方法。
１７．  前記収集装置へ前記送信情報を送信した前記携帯端末に特典を付与する特典付与ステップを有し、
前記指示情報は、前記携帯端末に与える特典の内容を示す、
１６．に記載の情報収集方法。
１８．  前記出力ステップは前記表示ステップを有し、
前記表示ステップは、前記収集情報を画像に変換して表示する、
１１．乃至１７．いずれか一項に記載の情報収集方法。
１９．  前記出力ステップは前記表示ステップを有し、
前記表示ステップは、７セグメントディスプレイを用いて前記収集情報の内容を表示する１１．乃至１７．いずれか一項に記載の情報収集方法。
２０．  前記情報取得装置は自動販売機又はガスボンベに備えられている、請求項１１．乃至１９．いずれか一項に記載の情報収集方法。
２１．  情報取得装置及び携帯端末を有する情報収集システムを制御する情報収集プログラムであって、
前記情報取得装置に、
収集情報を取得する収集情報取得機能と、
前記収集情報の内容を視認可能に表示する表示機能、及び前記情報取得装置が前記収集情報の内容を音声で出力する音声出力機能のうち、いずれか１つ以上を有する出力機能と、を持たせ、
前記携帯端末に、
前記表示機能による表示を撮像して画像データを生成する撮像機能と、前記音声出力機能によって出力された音声を録音して録音データを生成する録音機能と、前記表示機能による表示若しくは前記音声出力機能によって出力された音声に対応する入力データの入力を受け付ける入力受付機能と、の内のいずれか１つ以上を有する情報取得機能と、
前記情報取得機能によって生成されたデータに基づく送信情報を収集装置へ送信する情報送信機能と、を持たせ、
前記情報取得機能は、
前記出力機能が前記表示機能を有する場合、少なくとも、前記撮像機能及び前記入力受付機能の内のいずれか１つ以上を有し、
前記出力機能が前記音声出力機能を有する場合、少なくとも、前記録音機能及び前記入力受付機能の内のいずれか１つ以上を有する情報収集プログラム。
２２．  前記情報収集システムは、前記収集装置を有し、
当該情報収集プログラムは、前記収集装置に、前記収集情報取得機能によって生成されたデータから前記収集情報を復元する復元機能を持たせる２１．に記載の情報収集プログラム。
２３．  前記情報取得装置に、前記収集情報の暗号化又は圧縮を行う変換機能を持たせ、
前記出力機能は、前記変換機能によって暗号化又は圧縮された前記収集情報を出力し、
前記復元機能は、前記収集情報取得機能によって取得された情報から、暗号化又は圧縮された前記収集情報を復元し、さらに、暗号化又は圧縮された前記収集情報から前記収集情報を復元する、
２２．に記載の情報収集プログラム。
２４．  前記情報取得装置に、その情報取得装置の外部から指示を受け付ける指示受付機能を持たせ、
前記出力機能は、前記指示受付機能が前記指示を受け付けた場合のみ動作する、
２１．乃至２３．いずれか一項に記載の情報収集プログラム。
２５．  前記指示は、前記収集情報の種類を示し、
前記収集情報取得機能は、前記指示に示される種類の前記収集情報を取得する、
２４．に記載の情報収集プログラム。
２６．  前記情報収集システムは、前記収集装置を有し、
当該情報収集プログラムは、
前記収集装置に、
前記携帯端末に対して、前記指示の内容を示す指示情報を送信する指示情報送信機能を持たせ、
前記携帯端末に、前記指示情報を受信する指示情報受信機能を持たせる、
２４．又は２５．に記載の情報収集プログラム。
２７．  前記収集装置に、その収集装置へ前記送信情報を送信した前記携帯端末に特典を付与する特典付与機能を持たせ、
前記指示情報は、前記携帯端末に与える特典の内容を示す、
２６．に記載の情報収集プログラム。
２８．  前記出力機能は前記表示機能を有し、
前記表示機能は、前記収集情報を画像に変換して表示する、
２１．乃至２７．いずれか一項に記載の情報収集プログラム。
２９．  前記出力機能は前記表示機能を有し、
前記表示機能は、７セグメントディスプレイを用いて前記収集情報の内容を表示する２１．乃至２７．いずれか一項に記載の情報収集プログラム。
３０．  前記情報取得装置は自動販売機又はガスボンベに備えられている、２１．乃至２９．いずれか一項に記載の情報収集プログラム。
３１．  １．乃至１０．いずれか一項に記載の情報収集システムが有する情報取得装置。
３２．  １．乃至１０．いずれか一項に記載の情報収集システムが有する携帯端末。
３３．  情報取得装置によって実行される情報取得方法であって、
収集情報を取得する収集情報取得ステップと、
前記収集情報の内容を視認可能に表示する表示ステップ、及び前記収集情報の内容を音声で出力する音声出力ステップのうち、いずれか１つ以上を有する出力ステップと、を有する情報取得方法。
３４．  前記収集情報の暗号化又は圧縮を行う変換ステップを有し、
前記出力ステップは、前記変換ステップによって暗号化又は圧縮された前記収集情報を出力する３３．に記載の情報取得方法。
３５．  前記情報取得装置の外部から指示を受け付ける指示受付ステップを有し、
前記出力ステップは、前記指示受付ステップが前記指示を受け付けた場合のみ動作する、
３３．又は３４．に記載の情報取得方法。
３６．  前記指示は、前記収集情報の種類を示し、
前記収集情報取得ステップは、前記指示に示される種類の前記収集情報を取得する、
３５．に記載の情報取得方法。
３７．  前記出力ステップは前記表示ステップを有し、
前記表示ステップは、前記収集情報を画像に変換して表示する、
３３．乃至３６．いずれか一項に記載の情報取得方法。
３８．  前記出力ステップは前記表示ステップを有し、
前記表示ステップは、７セグメントディスプレイを用いて前記収集情報の内容を表示する３３．乃至３６．いずれか一項に記載の情報取得方法。
３９．  前記情報取得装置は自動販売機又はガスボンベに備えられている、３３．乃至３８．いずれか一項に記載の情報取得方法。
４０．  情報取得装置として動作するコンピュータを制御する情報取得プログラムであって、前記コンピュータに、
収集情報を取得する収集情報取得機能と、
前記収集情報の内容を視認可能に表示する表示機能、及び前記収集情報の内容を音声で出力する音声出力機能のうち、いずれか１つ以上を有する出力機能と、を持たせる情報取得プログラム。
４１．  前記コンピュータに、前記収集情報の暗号化又は圧縮を行う変換機能を持たせ、
前記出力機能は、前記変換機能によって暗号化又は圧縮された前記収集情報を出力する４０．に記載の情報取得プログラム。
４２．  前記コンピュータに、前記情報取得装置の外部から指示を受け付ける指示受付機能を持たせ、
前記出力機能は、前記指示受付機能が前記指示を受け付けた場合のみ動作する、
４０．又は４１．に記載の情報取得プログラム。
４３．  前記指示は、前記収集情報の種類を示し、
前記収集情報取得機能は、前記指示に示される種類の前記収集情報を取得する、
４２．に記載の情報取得プログラム。
４４．  前記出力機能は前記表示機能を有し、
前記表示機能は、前記収集情報を画像に変換して表示する、
４０．乃至４３．いずれか一項に記載の情報取得プログラム。
４５．  前記出力機能は前記表示機能を有し、
前記表示機能は、７セグメントディスプレイを用いて前記収集情報の内容を表示する４０．乃至４３．いずれか一項に記載の情報取得プログラム。
４６．  前記情報取得装置は自動販売機又はガスボンベに備えられている、４０．乃至４５．いずれか一項に記載の情報取得プログラム。
【符号の説明】
【０１２８】
２００ 特典情報テーブル
２０２ 収集情報 ID
２０４ 特典
２０６ 所在地
１０２０ バス
１０４０ プロセッサ
１０６０ メモリ
１０８０ ストレージ
１２２０ 収集情報取得モジュール
１２６０ 出力モジュール
１２６２ 表示モジュール
１２６４ 音声出力モジュール
２０００ 情報取得装置
２０２０ 収集情報取得部
２０４０ 変換部
２０６０ 出力部
２０６２ 表示部
２０６４ 音声出力部
２０８０ 指示受付部
３０００ 携帯端末
３０２０ 情報取得部
３０２２ 撮像部
３０２４ 録音部
３０２６ 入力受付部
３０４０ 情報送信部
３０８０ 指示受信部
４０００ 収集装置
５０００ 情報収集システム
５０２０ 復元部
５０４０ 指示送信部
５０６０ 特典付与部
６０２０ バス
６０４０ プロセッサ
６０６０ メモリ
６０８０ ストレージ
６１００ ネットワークアダプタ
６２２０ 情報取得モジュール
６２２２ 撮像モジュール
６２２４ 録音モジュール
６２２６ 入力受付モジュール
６２４０ 情報送信モジュール
【図１】
2015103985.tif 000003
【図２】
2015103985.tif 000004
【図３】
2015103985.tif 000005
【図４】
2015103985.tif 000006
【図５】
2015103985.tif 000007
【図６】
2015103985.tif 000008
【図７】
2015103985.tif 000009
【図８】
2015103985.tif 000010
【図９】
2015103985.tif 000011
【図１０】
2015103985.tif 000012